(57)【要約】【課題】本体構造が金属により構成されるとともに、搭載されたＩＤタグの読取り性能の向上を図ることのできるパレットを提供する。【解決手段】パレット１は、上下に対向配置される上面板１２、及び、下面板１３と、上面板１２と、下面板１３との間を連結する支柱部１４とを具備する合成樹脂製のベース部材１１を備え、ベース部１１は、金属製のパレット本体２に設けられたベース収容部４１に収容され、パレット本体２と連結される。ベース部材１１の平面視中央部には、ＩＤタグ１０を収容するタグ収容部２１が設けられ、ＩＤタグ１０の収容状態ではキャップ部材３１が取付けられる。上面板１２は、パレット本体２のうちベース収容部４１の上部の外周縁を画定する部位である上外周画定部４２の内側に略嵌合する。また、上面板１２、及び、下面板１３は、上面側、及び、下面側の一方側において格子状に設けられた補強リブ１６、１８を備える。【選択図】      図１
2019104537.tif 000002
【特許請求の範囲】
【請求項１】
複数の柱部、及び、前記複数の柱部のうち下端部よりも特定距離だけ上方に位置した部位の間を連結する支持フレームを備える金属製のパレット本体と、
上下に対向配置される上面板、及び、下面板と、前記上面板と、前記下面板との間を連結する支柱部とを備える合成樹脂製のベース部材と、を備えたパレットにおいて、
前記ベース部材は、前記上面板の平面視中央部、又は、その近傍部位に対応して、ＩＤタグを収容するタグ収容部を備え、
前記パレット本体は、前記ベース部材を収容するベース収容部を備え、
前記ベース収容部に収容された前記ベース部材が前記パレット本体と連結され、
前記ＩＤタグが収容された前記タグ収容部に対しキャップ部材が取付けられ、
前記上面板は、前記支持フレームのうち前記ベース収容部の上部の外周縁を画定する部位である上外周画定部の内側に略嵌合し、
前記上面板、及び、前記下面板は、上面側、及び、下面側のうち少なくとも一方側において格子状に設けられた補強リブを備えていることを特徴とするパレット。
【請求項２】
前記ベース部材は、前記タグ収容部を上方に開口させ、前記ＩＤタグの前記タグ収容部への挿入を許容する挿入開口部を備え、
前記キャップ部材は、前記挿入開口部の少なくとも一部を閉塞する閉塞部を備え、
前記閉塞部には透孔が設けられ、前記ベース部材の上面側から、前記透孔を介して、前記タグ収容部を視認可能に構成されていることを特徴とする請求項１に記載のパレット。
【請求項３】
前記ベース部材は、前記パレット本体の前記ベース収容部に設けられた被連結部に対して連結される連結部を備え、
前記ベース収容部は、前記ベース部材を前記パレット本体の上面側から収容可能に構成され、
前記被連結部に対して前記連結部を連結させる場合に作業が行われる連結作業部は、前記パレット本体の上面側、及び、側面側のうち少なくとも一方側から接触可能に構成されていることを特徴とする請求項１又は２に記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、複数の支柱部と、当該複数の支柱部の上端部間、及び、下端部間を連結する上デッキ、及び、下デッキとを備え、支柱部間においてフォークリフトのフォークを差込み可能なフォーク差込み部を有している。また、パレットに対し、パレットに載置される物品に関する情報等を有するＩＤタグを取付けることが知られている（例えば、特許文献１等参照。）。
【先行技術文献】
【特許文献】
【０００３】
【特許文献１】特開２０１５−２２４０４８号公報
【発明の概要】
【発明が解決しようとする課題】
【０００４】
ところで、パレットの強度を高めるべく、パレットを金属により構成する場合がある。しかしながら、金属製のパレットに対してＩＤタグを取付ける場合には、ＩＤタグの情報を読取るリーダから発せられる電波がパレットで反射されること等に起因して、ＩＤタグの読取り性能が著しく低下してしまうことが懸念される。
【０００５】
本発明は、上記例示した問題点等を解決するためになされたものであって、その目的は、本体構造が金属により構成されたパレットにおいて、搭載されたＩＤタグの読取り性能の向上を図ることのできるパレットを提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．複数の柱部、及び、前記複数の柱部のうち下端部よりも特定距離だけ上方に位置した部位の間を連結する支持フレームを備える金属製のパレット本体と、
上下に対向配置される上面板、及び、下面板と、前記上面板と、前記下面板との間を連結する支柱部とを備える合成樹脂製のベース部材と、を備えたパレットにおいて、
前記ベース部材は、前記上面板の平面視中央部、又は、その近傍部位に対応して、ＩＤタグを収容するタグ収容部を備え、
前記パレット本体は、前記ベース部材を収容するベース収容部を備え、
前記ベース収容部に収容された前記ベース部材が前記パレット本体と連結され、
前記ＩＤタグが収容された前記タグ収容部に対しキャップ部材が取付けられ、
前記上面板は、前記支持フレームのうち前記ベース収容部の上部の外周縁を画定する部位である上外周画定部の内側に略嵌合し、
前記上面板、及び、前記下面板は、上面側、及び、下面側のうち少なくとも一方側において格子状に設けられた補強リブを備えていることを特徴とするパレット。
【０００８】
手段１によれば、ＩＤタグをパレット本体に取付ける場合に、ＩＤタグと、パレット本体との間に合成樹脂製のベース部材を介在させることにより、ＩＤタグを金属製のパレット本体から離間させることができる。特に、本手段によれば、ベース部材の上面板、及び、下面板は、格子状の補強リブを備えており、上面板、及び、下面板の面積を比較的広く構成しても、上面板、及び、下面板において所望とする強度を確保することが可能となる。このため、例えば、上面板、及び、下面板を単板状に構成する場合に比べ、上面板、及び、下面板の変形等を防止しつつ、上面板の平面視中央部、又は、その近傍部位に対応して設けられたＩＤタグと、金属製のパレット本体との間をより大きく離間させることができる。従って、パレットに搭載されたＩＤタグの周辺部では、ＩＤタグの情報を読取るリーダから発せられる電波が金属製のパレット本体で反射されるといった事態を回避することができ、ＩＤタグの読取り性能の向上を図ることができる。結果として、ＩＤタグの情報をより正確、かつ、比較的遠距離からでも読取り可能とすることができ、ＩＤタグの読取り作業、又は、読取り工程における作業性、及び、利便性の向上等を図ることができる。
【０００９】
尚、「前記ベース部材は、前記パレット本体の前記ベース収容部に設けられた被連結部に対して連結される連結部を備え、前記連結部は、前記上面板、及び、前記下面板の外周縁部の近傍部位に設けられていること」としてもよい。この場合、ＩＤタグと、パレット本体（金属製品）とを極力離間させるといった作用効果がより確実に奏される。また、「前記キャップ部材は合成樹脂製であること」としてもよい。
【００１０】
手段２．前記ベース部材は、前記タグ収容部を上方に開口させ、前記ＩＤタグの前記タグ収容部への挿入を許容する挿入開口部を備え、
前記キャップ部材は、前記挿入開口部の少なくとも一部を閉塞する閉塞部を備え、
前記閉塞部には透孔が設けられ、前記ベース部材の上面側から、前記透孔を介して、前記タグ収容部を視認可能に構成されていることを特徴とする手段１に記載のパレット。
【００１１】
手段２によれば、キャップ部材をタグ収容部の挿入開口部に取付けた状態においても、キャップ部材に設けられた透孔を介して、タグ収容部に収容されているＩＤタグを目視で確認することができる。従って、ＩＤタグが確実に搭載されているか否かの確認作業を、リーダ等を用いずとも比較的簡易に行うことができる。また、キャップ部材に透孔が設けられることにより、タグ収容部の通気性を向上させることができ、タグ収容部の温度が上がり過ぎたり、タグ収容部の内側、例えば、ＩＤタグの表面において結露が発生したりしてしまう等といった事態を防止することができる。従って、例えば、タグ収容部の温度が高くなり過ぎてＩＤタグに悪影響を及ぼしてしまう、或いは、ＩＤタグの表面に結露が発生することにより、ＩＤタグの情報が読取り難くなるといった事態を防止することができる。
【００１２】
手段３．前記ベース部材は、前記パレット本体の前記ベース収容部に設けられた被連結部に対して連結される連結部を備え、
前記ベース収容部は、前記ベース部材を前記パレット本体の上面側から収容可能に構成され、
前記被連結部に対して前記連結部を連結させる場合に作業が行われる連結作業部は、前記パレット本体の上面側、及び、側面側のうち少なくとも一方側から接触可能に構成されていることを特徴とする手段１又は２に記載のパレット。
【００１３】
手段３によれば、ベース部材をパレット本体に連結させる作業を、パレット本体の上面側、或いは、側面側から行うことができる。従って、例えば、金属製であるパレット本体の下面側からベース部材の連結作業を行うような場合に比べ、ベース部材の連結作業性を飛躍的に向上させることができる。
【００１４】
尚、連結部と、被連結部との連結については、連結部、及び、被連結部に固定されるねじやボルト等の連結部材を用いて行うこととしてもよいし、係止により行うこととしてもよい。さらに、連結部材を用いて連結を行う場合には、連結部材が固定される（工具による）作業が行われる部位が連結作業部に相当し、係止により連結を行う場合には、ベース部材のうち係止に際して押圧される部位が連結作業部に相当する。
【００１５】
尚、「前記支持フレームから所定距離を隔てた下方位置において、前記支持フレームの下面側に対向して設けられる基礎フレームを備え、
前記ベース部材は、前記パレット本体の前記ベース収容部に設けられた被連結部に対して連結される連結部を備え、
前記連結部は、前記上面板に設けられた第１連結部と、前記下面板に設けられた第２連結部とを備え、
前記被連結部は、前記支持フレームに設けられた第１被連結部と、前記基礎フレームに設けられた第２被連結部とを備え、
前記ベース収容部は、前記ベース部材を前記パレット本体の上面側から収容可能に構成され、
前記支持フレーム、及び、前記支持フレームと前記基礎フレームとの間のうち少なくとも一方には、前記ベース収容部に収容された前記ベース部材の前記第２連結部に対して前記パレット本体の外部からの接触を可能とする作業開口部が設けられていること」としてもよい。
【００１６】
当該構成を採用する場合、ベース部材の上部だけでなく、下部においても、パレット本体と連結されることから、ベース部材のパレット本体への連結状態をより一層安定化させることができる。また、第２連結部と、第２被連結部との連結作業に関しても、作業開口部を介して、パレット本体の上方、及び、側方のうち少なくとも一方側から行えるように構成されていることから、例えば、パレット本体の下面側からの作業が必要になるような場合に比べ、ベース部材の連結作業性を飛躍的に向上させることができる。
【図面の簡単な説明】
【００１７】
【図１】パレットの斜視図である。
【図２】ベース部材をベース収容部に収容し、パレット本体と連結した状態であって、ＩＤタグを装着する前段階の状態を示す部分拡大斜視図である。
【図３】ベース部材をベース収容部に収容させる前段階の状態を示す部分拡大斜視図である。
【図４】ベース部材をベース収容部に収容させる過程を示す部分拡大斜視図である。
【図５】ベース収容部に収容されたベース部材をパレット本体と連結する前段階の状態を示す部分拡大斜視図である。
【図６】ベース部材の上面側を示す斜視図である。
【図７】ベース部材の下面側を示す斜視図である。
【図８】キャップ部材の上面側を示す斜視図である。
【図９】キャップ部材の下面側を示す斜視図である。
【図１０】ベース部材、及び、ベース収容部を示す部分拡大斜視図である。
【図１１】ベース部材をベース収容部に収容した状態であって、ベース部材をパレット本体に連結する前段階の状態を示す部分拡大斜視図である。
【図１２】別の実施形態におけるベース部材の分解斜視図である。
【図１３】別の実施形態におけるベース部材、及び、ベース収容部を示す一部断面を含む部分拡大斜視図である。
【発明を実施するための形態】
【００１８】
以下に、一実施形態について図面を参照して説明する。図１に示すように、パレット１は、平面視略矩形状をなしている。また、パレット１は、パレット１の四隅に設けられる隅柱部３、４つの隅柱部３の下端部間を連結する基礎フレーム４、及び、４つの隅柱部３のうち基礎フレーム４から所定距離を上方に位置した部位の間を連結し、基礎フレーム４の上面側に対向して設けられる支持フレーム５を具備するスチール製のパレット本体２を備えている。
【００１９】
基礎フレーム４、及び、支持フレーム５は格子状に設けられるとともに、基礎フレーム４と、支持フレーム５との間が、適宜、中間柱部６によって連結されている。支持フレーム５の上面側には、図示しない板状体（例えば、プラスチックダンボール等）が敷設され、その上に運搬対象の物品等が載置されるようになっている。さらに、基礎フレーム４は、上面側、及び、下面側がフラットに構成されているのに対し、支持フレーム５は、下面側がフラットに構成され、上面側が、前記板状体の脱落等を防止するべく、外周部分が一段高くなるように構成されている。
【００２０】
また、各隅柱部３と、中間柱部６との間（かつ、基礎フレーム４と、支持フレーム５との間）には、フォークリフトのフォークを差込み可能なフォーク差込み部７が形成されている。本実施形態では、パレット１（パレット本体２）の外周面を構成する４つの側面からフォークを差込み可能な４方差しタイプのパレットとなっている。尚、隅柱部３は、上方に開口する略四角筒状をなし、その内側には略四角筒状のコーナーバー８が挿入されている。コーナーバー８は、隅柱部３よりも上方に突出するとともに、隅柱部３に対して上下に相対変位可能に構成され、所期の位置で隅柱部３に保持されるよう構成されている。
【００２１】
さて、本実施形態のパレット１は、図２、図１０等に示すように、ＩＤタグ１０が搭載されるように構成されている。また、本実施形態のパレット１は、ＩＤタグ１０をパレット本体２に取付けるためのベース部材１１を備えている。図６、図７等に示すように、ベース部材１１は、上下に対向配置される上面板１２、及び、下面板１３と、上面板１２と、下面板１３との間を連結する支柱部１４とを備えている。上面板１２、及び、下面板１３は、平面視で一辺が約３００ｍｍの略正方形状をなしている。支柱部１４の外側形状は、直径約１００ｍｍの略円筒状をなしており、上面板１２、及び、下面板１３の中央部間を連結するようにして設けられている。本実施形態のベース部材１１は、ポリプロピレンにより一体的に構成されている。尚、ベース部材１１の高さは約１１０ｍｍとなっている。
【００２２】
さらに、本実施形態の上面板１２は、平面視略矩形板状の上基板１５と、上基板１５の上面側において格子状に設けられた上補強リブ１６とを備えている。加えて、下面板１３は、下面視略矩形板状の下基板１７と、下基板１７の下面側において格子状に設けられた下補強リブ１８とを備えている。尚、上補強リブ１６、及び、下補強リブ１８は、上基板１５、及び、下基板１７の外周縁部に沿って設けられる外周リブ１６ａ、１８ａと、外周リブ１６ａ、１８ａの内側に格子状に設けられる内側リブ１６ｂ、１８ｂとを備え、上基板１５、及び、下基板１７の全域に設けられている。
【００２３】
また、図２、図６、図１０、図１１等に示すように、ベース部材１１は、上面板１２の平面視中央部に対応する位置でもある支柱部１４の中心を含む部位において、略直方体形状のＩＤタグ１０（本実施形態では、アクティブＩＣタグ）を収容するタグ収容部２１を備えている。さらに、ベース部材１１には、タグ収容部２１を上方に開口させ、ＩＤタグ１０のタグ収容部２１への挿入を許容する挿入開口部２２が設けられている。挿入開口部２２は、ＩＤタグ１０の外表面のうち最小面積の面に対応する形状をなしている。
【００２４】
加えて、図２、図１０等に示すように、ＩＤタグ１０が収容されたタグ収容部２１に対し、ポリプロピレン製のキャップ部材３１が取付けられるようになっている。図２、図８、図９に示すように、キャップ部材３１は、挿入開口部２２よりも面積が大きく構成され、挿入開口部２２を閉塞する略正方形板状の閉塞部３２と、閉塞部３２の下面から下方に突出し、外周形状が、前記挿入開口部２２の内周形状に対応した四角筒状をなす挿入部３３と、閉塞部３２の下面のうち挿入部３３の外方に位置する部位から下方に突出する係止部３４とを備えている。
【００２５】
その一方で、図２、図６、図１０、図１１等に示すように、ベース部材１１は、挿入開口部２２の周縁部において、上面板１２の上面よりも一段低く構成され、キャップ部材３１の閉塞部３２を収容可能とする閉塞板収容部２３を備えている。さらに、閉塞板収容部２３の底面を構成する支持板２４のうち、挿入開口部２２の長手幅方向に沿って延びる縁部に隣接する部位には、キャップ部材３１の係止部３４を挿通可能とする係止孔２５が設けられている。
【００２６】
そして、図１０に示すように、キャップ部材３１の挿入部３３を、タグ収容部２１の挿入開口部２２に挿入することで、キャップ部材３１の閉塞部３２のうち挿入部３３よりも外方の部位が、支持板２４の上面に支持されるとともに、係止部３４が係止孔２５に挿通されて支持板２４の裏面側に係止される。これにより、キャップ部材３１がベース部材１１に取付けられている。
【００２７】
また、閉塞板収容部２３の深さ（ベース部材１１の上面から、支持板の上面までの距離）は、閉塞部３２の厚みよりも若干長く構成されている。このため、ベース部材１１に取付けられたキャップ部材３１の閉塞部３２の全体が閉塞板収容部２３に収容される上、閉塞部３２の上面は、上面板１２の上面よりも若干下方に位置するようになっている。さらに、タグ収容部２１のうち、挿入開口部２２を含む上部のうち、キャップ部材３１の挿入部３３が挿入される部位（以下、「拡径部２６」とも称する）については、それよりも下方に位置する部位よりも、内径が、挿入部３３の厚み程度大きくなるように構成されている。加えて、タグ収容部２１に収容されたＩＤタグ１０は、その上部が拡径部２６において収まるように構成されている。タグ収容部２１のうち拡径部２６よりも下方の部位に関しては、その内周形状が、ＩＤタグ１０の外周形状とほぼ同じ形状とされており、タグ収容部２１に収容されたＩＤタグ１０は、タグ収容部２１と当接、或いは、近接し、当該ＩＤタグ１０の変位等が防止されるようになっている。その一方で、拡径部２６の内周面と、ＩＤタグ１０の外周面との間には隙間が形成されることとなるが、キャップ部材３１を取付けることで、かかる隙間が、キャップ部材の挿入部３３によって埋められるようになっている。
【００２８】
図８、図１０等に示すように、キャップ部材３１の閉塞部３２のうち挿入部３３よりも内周側の部位には、閉塞部３２の厚み方向に貫通する透孔３５が設けられている。より具体的には、閉塞部３２のうち挿入部３３よりも内周側の部位は、挿入部３３の各内側面の横幅方向中央部間を連結するような十字状に構成されており、閉塞部３２と、挿入部３３との間に透孔３５が設けられている。このため、透孔３５を介して、ベース部材１１の上面側から、タグ収容部２１に収容されているＩＤタグ１０を視認可能に構成されている。
【００２９】
また、図９、図１０に示すように、キャップ部材３１の閉塞部３２のうち挿入部３３よりも内周側の部位から下方に突出する下面視略十字状の押さえリブ３６が設けられ、キャップ部材３１の取付状態では、押さえリブ３６の下辺部が、ＩＤタグ１０の上面と当接、又は、近接するようになっている。尚、タグ収容部２１の底面には、上下に貫通する底孔２７が設けられ、キャップ部材３１の透孔３５とともに、タグ収容部２１の通気性等の向上に寄与する。
【００３０】
また、図１〜図３等に示すように、パレット本体２は、平面視中央部において、ベース部材１１を収容するベース収容部４１を備えている。図２、図１０等に示すように、ベース部材１１の上面板１２は、支持フレーム５のうちベース収容部４１の上部の外周縁を画定する部位である上外周画定部４２の内側に略嵌合するようになっている。さらに、ベース部材１１の下面板１３についても、基礎フレーム４のうちベース収容部４１の下部の外周縁を画定する部位である下外周画定部４３の内側に略嵌合するようになっている。
【００３１】
さらに、図３、図１０等に示すように、パレット本体２は、支持フレーム５の上外周画定部４２のうち、パレット本体２の短手方向（図１参照）に沿って延びる一対の辺部から、それぞれベース収容部４１の内側に突出して設けられる第１被連結部としての一対の上側受けフランジ４４と、基礎フレーム４の下外周画定部４３のうち、パレット本体２の短手方向に沿って延びる一対の辺部から、それぞれベース収容部４１の内側に突出して設けられる第２被連結部としての一対の下側受けフランジ４５とを備えている。各上側受けフランジ４４、及び、下側受けフランジ４５のそれぞれには、上下に貫通する連結孔４６が３箇所に設けられ、当該連結孔４６に対応して、上側受けフランジ４４、及び、下側受けフランジ４５の下面側には、ナット４７（図１０参照）が溶接固定されている。本実施形態では、上側受けフランジ４４、及び、下側受けフランジ４５の上外周画定部４２、及び、下外周画定部４３からベース収容部４１の内周側への突出長は約２５ｍｍとなっている。尚、図１１では、ナット４７の図示を省略している。
【００３２】
これに対し、図６、図１０等に示すように、ベース部材１１は、上面板１２の側辺部、及び、下面板１３の側辺部のうち、タグ収容部２１の挿入開口部２２の長手方向に沿って延びる側辺部の近傍部位において、ボルト４８を挿通可能とするボルト孔２８が設けられている。ボルト孔２８は、前記連結孔４６に対応して、上面板１２、及び、下面板１３の該当する側辺部に３つずつ設けられている。さらに、上面板１２、及び、下面板１３は、両方ともに、上面側において、ボルト孔２８に挿通されたボルト４８の頭部を収容可能な頭部収容部２９が設けられている。本実施形態では、ボルト４８の頭部の全体を頭部収容部２９に収め、ボルト４８の上端部を、上面板１２の上面や下面板１３の上面よりも下方に位置させることができるように構成されている。尚、本実施形態では、上面板１２のボルト孔２８及び頭部収容部２９が第１連結部、及び、連結作業部に相当し、下面板１３のボルト孔２８及び頭部収容部２９が第２連結部、及び、連結作業部に相当する。
【００３３】
そして、ベース部材１１をパレット本体２のベース収容部４１に収容させる場合には、図４に示すように、ベース部材１１の下面板１３のうちボルト孔２８が設けられた一対の側辺部を、パレット本体２の上面側から、一対の上側受けフランジ４４の間に片方ずつ挿通させた後、支柱部１４が鉛直方向に延びる姿勢として、下方に変位させる。これにより、図５、図１１に示すように、下面板１３のうちボルト孔２８が設けられている一対の側辺部が、それぞれ下側受けフランジ４５の上面に当接して支持され、上面板１２のうちボルト孔２８が設けられている一対の側辺部が、それぞれ上側受けフランジ４４の上面に当接して支持されるようになっている。
【００３４】
また、上記のようにベース部材１１がパレット本体２のベース収容部４１に収容された状態では、上面板１２のボルト孔２８と、上側受けフランジ４４の連結孔４６とが位置合わせされ、下面板１３のボルト孔２８と、下側受けフランジ４５の連結孔４６とが位置合わせされるようになっている。そして、図５に示すように、上面板１２の上面側から、ボルト４８を、上面板１２のボルト孔２８、及び、上側受けフランジ４４の連結孔４６に挿通させ、上側受けフランジ４４の下面側に固定されているナット４７と螺着させる。さらに、下面板１３の上面側から、ボルト４８を、下面板１３のボルト孔２８、及び、下側受けフランジ４５の連結孔４６に挿通させ、下側受けフランジ４５の下面側に固定されているナット４７と螺着させる。以上のようにして、ベース部材１１がパレット本体２に連結されるようになっている。
【００３５】
尚、下面板１３に対するボルト４８の固定に際しては、図１に示すように、支持フレーム５において上外周画定部４２に隣接して設けられる開口部、或いは、支持フレーム５と、基礎フレーム４との間の隙間を介して、作業者が工具（例えば、六角レンチ等）を下面板１３のボルト孔２８にまで至らせ、ボルト４８を締め込む作業を行うようになっている。また、本実施形態では、支持フレーム５において上外周画定部４２に隣接して設けられる開口部、及び、支持フレーム５と、基礎フレーム４との間の隙間が作業開口部に相当する。
【００３６】
また、図７、図１０に示すように、上面板１２の下面は、外周側の部位が、それよりも内周側の部位よりも一段高く（厚みもその分薄く）構成され、当該外周側の部位が、上側受けフランジ４４の上面に当接して支持され、内周側の部位が、一対の上側受けフランジ４４の間に挟まれるようになっている。さらに、下面板１３の下面は、外周側の部位が、それよりも内周側の部位よりも一段高く（厚みもその分薄く）構成され、当該外周側の部位が、下側受けフランジ４５の上面に当接して支持され、内周側の部位が、一対の下側受けフランジ４５の間に挟まれるようになっている。
【００３７】
加えて、本実施形態では、タグ収容部２１の挿入開口部２２の長手方向、及び、短手方向のどちらにおいても、タグ収容部２１に収容されたＩＤタグ１０と、パレット本体２との間の距離（挿入開口部２２の長手方向においては、上外周画定部４２や下外周画定部４３の内面との間の距離となり、挿入開口部２２の短手方向においては、上側受けフランジ４４や下側受けフランジ４５との間の距離となる）が、１００ｍｍ以上（本例では、１１０ｍｍ程度）確保されるように構成されている。
【００３８】
また、図３、図１０に示すように、上側受けフランジ４４は、支持フレーム５の上面から、上面板１２の外周側の部位の厚みよりも若干長い距離を下方に変位した位置に設けられている。このため、ベース部材１１のパレット本体２への取付状態においては、上面板１２の上面は、支持フレーム５の上面よりも若干下方に位置するように構成されている。
【００３９】
さらに、下側受けフランジ４５は、基礎フレーム４の上面から、下面板１３の外周側の部位の厚みよりも若干長い距離を下方に変位した位置に設けられている。このため、ベース部材１１のパレット本体２への取付状態においては、下面板１３の上面は、基礎フレーム４の上面（パレット１の設置面）よりも若干下方に位置するように構成されている。
【００４０】
尚、上面板１２の下面や、上面板１２を固定するボルト４８が、支持フレーム５の下面よりも下方に突出することはなく、下面板１３の下面や、下面板１３を固定するボルト４８が基礎フレーム４の下面よりも下方に突出することはないように構成されている。
【００４１】
以上詳述したように、本実施形態によれば、ＩＤタグ１０をパレット本体２に取付ける場合に、ＩＤタグ１０と、パレット本体２との間に合成樹脂製（本例では、ポリプロピレン）のベース部材１１を介在させることにより、ＩＤタグ１０を金属製（本例ではスチール）のパレット本体２から離間させることができる。特に、本実施形態によれば、ベース部材１１の上面板１２、及び、下面板１３は、格子状の上補強リブ１６、及び、下補強リブ１８を備えており、上面板１２、及び、下面板１３の面積を比較的広く構成しても、上面板１２、及び、下面板１３において所望とする強度を確保することが可能となる。このため、例えば、上面板１２、及び、下面板１３を単板状に構成する場合に比べ、上面板１２、及び、下面板１３の変形等を防止しつつ、上面板１２の平面視中央部に対応して設けられたＩＤタグ１０と、金属製のパレット本体２との間をより大きく離間させることができる。従って、パレット１に搭載されたＩＤタグ１０の周辺部では、ＩＤタグ１０の情報を読取るリーダから発せられる電波が金属製のパレット本体２で反射されるといった事態を回避することができ、ＩＤタグ１０の読取り性能の向上を図ることができる。結果として、ＩＤタグ１０の情報をより正確、かつ、比較的遠距離からでも読取り可能とすることができ、ＩＤタグ１０の読取り作業、又は、読取り工程における作業性、及び、利便性の向上等を図ることができる。
【００４２】
また、ＩＤタグ１０が収容されたタグ収容部２１の挿入開口部２２にはキャップ部材３１が取付けられる。このため、タグ収容部２１に収容されたＩＤタグ１０の収容状態の安定化等を図ることができる。さらに、キャップ部材３１のうち挿入開口部２２を閉塞する閉塞部３２には、ベース部材１１の上面側からタグ収容部２１を視認可能とする透孔３５が設けられている。このため、キャップ部材３１をタグ収容部２１の挿入開口部２２に取付けた状態においても、キャップ部材３１に設けられた透孔３５を介して、タグ収容部２１に収容されているＩＤタグ１０を目視で確認することができる。従って、ＩＤタグ１０が確実に搭載されているか否かの確認作業を、リーダ等を用いずとも比較的簡易に行うことができる。
【００４３】
加えて、タグ収容部２１の底面において上下に貫通する底孔２７が設けられており、キャップ部材３１に透孔３５が設けられていることと相俟って、タグ収容部２１の通気性等の向上を図ることができる。従って、タグ収容部２１の温度が上がり過ぎたり、タグ収容部２１の内側、例えば、タグ収容部２１に収容されたＩＤタグ１０の表面において結露が発生したりしてしまう等といった事態を防止することができる。従って、例えば、タグ収容部２１の温度が高くなり過ぎてＩＤタグ１０に悪影響を及ぼしてしまう、或いは、ＩＤタグ１０の表面に結露が発生することにより、ＩＤタグ１０の情報が読取り難くなってしまうといった事態を防止することができる。
【００４４】
また、上下に対向配置される上面板１２、及び、下面板１３と、上面板１２、及び、下面板１３の中央部間を連結する支柱部１４とを備えるベース部材１１は、上面板１２、及び、下面板１３のそれぞれが、ボルト４８によって、パレット本体２と連結されるようになっている。このように、ベース部材１１の上部だけでなく、下部においても、パレット本体２と連結されることから、ベース部材１１のパレット本体２への連結状態をより一層安定化させることができる。さらに、支持フレーム５（上外周画定部４２）に設けられた上側受けフランジ４４、及び、基礎フレーム４（下外周画定部４３）に設けられた下側受けフランジ４５の上面側に対し、上面板１２、及び、下面板１３の下面の外周側の部位が当接して支持されることから、ベース部材１１のパレット本体２への連結状態をより安定化させることができる。
【００４５】
加えて、上面板１２、及び、下面板１３の上面側から、上面板１２、及び、下面板１３に設けられたボルト孔２８、並びに、上側受けフランジ４４、及び、下側受けフランジ４５に設けられた連結孔４６にボルト４８を挿通させ、上側受けフランジ４４、及び、下側受けフランジ４５の下面側に溶接されたナット４７に螺着させるように構成されている。このとき、上面板１２に対するボルト４８の固定作業が、パレット本体２の上面側から行えるのは勿論のこと、下面板１３に対するボルト４８の固定作業に関しても、支持フレーム５において上外周画定部４２に隣接して設けられた開口部、若しくは、支持フレーム５と、基礎フレーム４との間の隙間を介して行うことができるように構成されている。このように、ベース部材１１をパレット本体２に連結させる作業を、パレット本体２の上面側、或いは、側面側から行うことができることから、例えば、金属製であるパレット本体２の下面側からベース部材１１の連結作業を行うような場合に比べ、ベース部材１１の連結作業性を飛躍的に向上させることができる。
【００４６】
さらに、ベース部材１１の上面板１２の上面は、支持フレーム５の上面よりも若干下方に位置している。このため、パレット１に（プラスチック段ボールを敷設して、その上に）物品を載置した場合には、基本的に金属製のパレット本体２のみで物品を支持することとなる。従って、合成樹脂製のベース部材１１の負担を軽減させることで、ベース部材１１の耐久性の向上等を図ることができる。加えて、キャップ部材３１の上面は、ベース部材１１の上面板１２の上面よりも若干下方に位置している。このため、パレット１に（プラスチック段ボールを敷設して、その上に）物品を載置した場合のキャップ部材３１への負担軽減を図ることができ、キャップ部材３１の耐久性の向上等を図ることができる。
【００４７】
尚、上記実施形態の記載内容に限定されず、例えば次のように実施してもよい。勿論、以下において例示しない他の応用例、変更例も当然可能である。
【００４８】
（ａ）上記実施形態では、ベース部材１１の上面板１２、下面板１３、及び、支柱部１４が一体的に構成されているが、上面板１２、及び、下面板１３のうち一方、又は、両方を、支柱部１４とは別体として構成することとしてもよい。例えば、図１２、図１３に示すベース部材７１は、平面視矩形状の上面板７２、及び、下面板７３と、略円筒状の支柱部７４とを組合わせることで構成される。
【００４９】
また、上面板７２の下面側、及び、下面板７３の上面側の中央部には、円筒体を２重にして設けることで、その間に、支柱部７４の端部を挿入可能とする端部挿入部７５を有する２重壁構造部７６が設けられている。そして、支柱部７４の上端部、及び、下端部を、上面板７２、及び、下面板７３の端部挿入部７５に挿入（圧入）することで、支柱部７４、上面板７２、及び、下面板７３が、ベース部材７１として組付けられることとなる。尚、上面板７２、及び、下面板７３と、支柱部７４とを連結（固定）するような構成はなく、ベース部材７１をパレット本体２（例えば、上記実施形態と同じもの）にボルト４８で連結するまでの間に、ベース部材７１の形状が保持できるようになっていればよい。
【００５０】
また、上面板７２、及び、下面板７３の外周部位は、それよりも内周部位に比べ、上面側が一段低く、下面側が一段高くなっている（その分薄くなっている）。そして、ボルト４８を用いて、ベース部材７１をパレット本体２に連結した場合には、上面板７２の外周側の部位が、上側受けフランジ４４の上面に当接して支持され、それよりも内周側の部位が、一対の上側受けフランジ４４の間に挿通され、上面板７２の上面が支持フレーム５の上面よりも若干下方に位置し、上面板７２を固定するボルト４８についても支持フレーム５の上面よりも若干下方に位置するようになっている。
【００５１】
さらに、下面板７３の外周側の部位が、下側受けフランジ４５の上面に当接して支持され、それよりも内周側の部位が、一対の下側受けフランジ４５の間に挿通され、下面板７３の上面が基礎フレーム４の上面よりも若干下方に位置し、下面板７３を固定するボルト４８についても基礎フレーム４の上面よりも若干下方に位置するようになっている。
【００５２】
加えて、上面板７２、及び、下面板７３の外周部位よりも内周側の部位には、補強リブ７８が格子状に設けられている。また、上面板７２の２重壁構造部７６の内側（中央部）には、ＩＤタグ１０を収容するタグ収容部７９の上部を構成する（タグ収容部７９の外周部の上部を画定する）上収容構成部８０が設けられている。さらに、上面板７２には、上収容構成部８０を上方に開口させる挿入開口部８１が設けられている。加えて、下面板７３の２重壁構造部７６の内側（中央部）には、ＩＤタグ１０を収容するタグ収容部７９の下部を構成する（タグ収容部７９の外周部の下部を画定する）下収容構成部８２が設けられている。さらに、下面板７３には、下収容構成部８２の下側を閉塞する底壁部８３が設けられている。
【００５３】
そして、上面板７２と、下面板７３とが、支柱部７４を介して組付けられることにより、上収容構成部８０と、下収容構成部８２とが上下に連通し、タグ収容部７９が構成されることとなる。また、上面板７２の上面には、挿入開口部８１の周辺部を一段低くすることで設けられ、キャップ部材３１（上記実施形態と同じもの）の閉塞部３２が収容される閉塞板収容部８４と、キャップ部材３１の係止部３４が挿通される係止孔８５とが設けられ、上記実施形態と同様に、上面板７２の上面よりも上方に突出しないようにキャップ部材３１をベース部材７１に取付可能に構成されている。
【００５４】
以上のように、ベース部材７１を用いてＩＤタグ１０をパレット本体２に取付ける場合においても、ベース部材７１の上面板７２、及び、下面板７３の変形等を防止しつつ、ＩＤタグ１０と、金属製のパレット本体２との間を極力離間させることができ、ＩＤタグ１０の読取り性能の向上等を図るといった作用効果が奏される。また、上面板７２、下面板７３、及び、支柱部７４を組付ける手間が発生する一方で、上面板７２、下面板７３、及び、支柱部７４のそれぞれの成形性を向上させることができ、より細かいオーダーに対応することが可能となる上、場合によって、パーツを組替える等の利用を図ることも可能である。尚、上面板７２（同じ形状の板部材）を２つと、支柱部７４とを組合わせ、各上面板７２に対してキャップ部材３１を取付けることで、ベース部材７１を構成することとしてもよい。
【００５５】
（ｂ）また、ベース部材１１の形状や寸法に関しても特に限定されるものではないが、上面板１２、及び、下面板１３と、支柱部１４とを備え、支柱部１４の内側にタグ収容部２１が設けられるとともに、上面板１２、及び、下面板１３がそれぞれパレット本体２に連結されることが望ましい。さらに、上記実施形態では、タグ収容部２１がベース部材１１の平面視略中央部に設けられているが、若干ずれた位置に設けられることとしてもよい。但し、ベース部材１１に装着されたＩＤタグ１０と、パレット本体２との間の距離が、最短の位置でも１００ｍｍ以上あることが望ましく、１１０ｍｍ以上あることがより望ましい。
【００５６】
加えて、上外周画定部４２と、上面板１２の外周部との間、及び、下外周画定部４３と、下面板１３の外周部との間に隙間が設けられていてもよいが、ベース部材１１の連結状態の安定化等を図るべく、上面板１２が上外周画定部４２の内側に略嵌合し、下面板１３が下外周画定部４３の内側に略嵌合することが望ましい。また、上記実施形態では、ＩＤタグ１０が略直方体形状をなしているが、例えば、略円柱状に構成されていてもよい。さらに、ＩＤタグ１０はアクティブ型のものに限定されず、パッシブ型、及び、セミアクティブ型のＩＤタグを搭載することとしてもよい。勿論、ＩＤタグ１０に記憶される情報は特に限定されるものではなく、適宜変更可能である。
【００５７】
（ｃ）上記実施形態では、下面板１３のボルト４８の固定作業を、支持フレーム５の開口部、及び、支持フレーム５と基礎フレーム４との間の隙間から行うことができるように構成されているが、どちらか一方側からのみ行うことができるように構成してもよい。また、上記実施形態では、パレット１の外周面を構成する４つの側面からフォークを差込み可能な４方差しタイプのパレット１に具体化されているが、パレット１の外周面を構成する４つの側面のうち２つの側面からフォークを差し込み可能な２方差しタイプのパレットに適応することも可能である。
【００５８】
さらに、ベース部材１１と、パレット本体２の連結構造についても特に限定されるものではなく、適宜、設計変更可能である。例えば、ねじを使用して連結を行うこととしてもよいし、ボルト４８等の連結部材を使用せず、ベース部材１１側に設けられたベース側係止部と、パレット本体２側に設けられた本体側係止部とを係止させることにより連結することとしてもよい。
【００５９】
（ｄ）上記実施形態では、パレット本体２はスチールにより構成されているが、アルミニウムやステンレス鋼等のその他の金属により構成されることとしてもよい。尚、パレット本体２を、搭載されたＩＤタグの情報が読取り難くなるような金属以外の材料で構成することとしてもよい。かかる構成を採用する場合においても、パレット本体に対しベース部材１１を介してＩＤタグ１０を搭載することにより、リーダによるＩＤタグ１０の読取りに悪影響を及ぼすパレット本体からＩＤタグ１０を極力離間させ、良好な読取り作業を可能とすることができる。また、ベース部材１１、及び、キャップ部材３１はポリプロピレンにより構成されているが、ポリエチレン、ＰＥＴ、ポリアミド等その他の樹脂材料により構成されることとしてもよい。
【符号の説明】
【００６０】
１…パレット、２…パレット本体、３…隅柱部、４…基礎フレーム、５…支持フレーム、１０…ＩＤタグ、１１…ベース部材、１２…上面板、１３…下面板、１４…支柱部、１６…上補強リブ、１８…下補強リブ、２１…タグ収容部、２２…挿入開口部、２８…ボルト孔、２９…頭部収容部、３１…キャップ部材、３２…閉塞部、３４…係止部、３５…透孔、４１…ベース収容部、４２…上外周画定部、４３…下外周画定部、４４…上側受けフランジ、４５…下側受けフランジ、４６…連結孔、４７…ナット、４８…ボルト。
【図１】
2019104537.tif 000003
【図２】
2019104537.tif 000004
【図３】
2019104537.tif 000005
【図４】
2019104537.tif 000006
【図５】
2019104537.tif 000007
【図６】
2019104537.tif 000008
【図７】
2019104537.tif 000009
【図８】
2019104537.tif 000010
【図９】
2019104537.tif 000011
【図１０】
2019104537.tif 000012
【図１１】
2019104537.tif 000013
【図１２】
2019104537.tif 000014
【図１３】
2019104537.tif 000015